(57)【要約】【課題】本発明は、使用済みオムツの排せつ物に直接触ることなく、また、ビニール袋及び手袋を用意しなくても、処理するための被覆体及び手袋を常備することで出先での使用済みオムツの処理の問題を無くし、介護や保育などの従事者における心理的負担を取り除くことを可能とするオムツ技術の提供を課題とするものである。【解決手段】オムツと手袋とからなる手袋付きのオムツであって、前記手袋が前記オムツに塗布された粘着剤により剥離可能に正面又は背面若しくは両面に貼着され、前記手袋は伸縮する素材で構成され、使用後の前記オムツを、前記手袋の手のひら収納部と複数の指収納部の一部とを合わせた使用後オムツ収納領域に収納可能とする構成を採用した。【選択図】図１
2020156978.tif 000002
【特許請求の範囲】
【請求項１】
オムツ（１０）と手袋（２０）とからなる手袋付きのオムツであって、
前記手袋（２０）が前記オムツ（１０）に塗布された粘着剤（３０）により剥離可能に正面（Ｆ）又は背面（Ｒ）若しくは両面に貼着され、
前記手袋（２０）は伸縮する素材で構成され、
使用後の前記オムツ（２０）を、前記手袋（１０）の手のひら収納部（Ｔ）と複数の指収納部（Ｙ）の一部とを合わせた使用後オムツ収納領域（Ｓ）に収納可能とすることを特徴とする手袋付きオムツ（１）。
【請求項２】
前記手袋（２０）の開口端部（２２）に掴み部（２３）を設けたことを特徴とする請求項１に記載の手袋付きオムツ（１）。
【請求項３】
前記手袋（２０）の前記貼着される側の表面（Ｈ）に離型コート剤（２４）が塗布されていることを特徴とする請求項１又は請求項２に記載の手袋付きオムツ（１）。
【請求項４】
前記手袋（２０）の指収納部（Ｙ）が三分割により構成されていることを特徴とする請求項１から請求項３の何れかに記載の手袋付きオムツ（１）。
【請求項５】
前記手袋（２０）の指収納部（Ｙ）が六分割により構成されていることを特徴とする請求項１から請求項３の何れかに記載の手袋付きオムツ（１）。
【請求項６】
前記手袋（２０）の指収納部（Ｙ）がニ分割により構成されていることを特徴とする請求項１から請求項３の何れかに記載の手袋付きオムツ（１）。
【請求項７】
前記手のひら収納部（Ｔ）の開口端部（２２）側を延長して該開口端（２２）部へ折り込んだ折込部（２１）を有し、使用後オムツ収納領域Ｓを拡大することを特徴とする請求項１から請求項６の何れかに記載の手袋付きオムツ（１）。
【発明の詳細な説明】
【技術分野】
【０００１】
本発明は、オムツの技術に関し、詳しくは、使用済みオムツの排せつ物に直接触ることなく、また、ビニール袋及び手袋を用意しなくても、捨てるための被覆体及び手袋を常備するオムツの技術に関するものである。
【背景技術】
【０００２】
近年、赤ちゃんを育てる際のオムツには、紙オムツを使用するということが主流となっており、また、お年寄りの介護においても紙オムツを使用することが一般的になってきている。しかし、使用する際の様々な問題点が残っているということも否めない。例えば、出先で、オムツを取り換える際に、それをしまうビニール袋を忘れた場合、非常に困ったこととなる。特に、使用後のオムツは悪臭だけでなく、衛生面からもビニールなどで密封する必要があり、そのままバックに入れることは到底できない。従って、ビニール袋を用意しなくてもオムツの処理ができるオムツの技術が求められている。
【０００３】
また、出先での問題ばかりではなく、介護士や、保育士などの仕事に従事している方においては、身内以外の排せつ物を扱うため、係る排せつ物に触れることは、心理的な負担が大きく、また、衛生面でも問題となる。
【０００４】
そこで、オムツを替える際の介助者は、消毒液で指先を消毒したり、手袋を別途用意する必要があるが、常に手袋などの準備を備えられない場合もあり、その負担も大きいという問題がある。
【０００５】
そこで、上記問題に鑑み、従来からも種々の技術提案がなされている。例えば、発明の名称を「エチケット袋付き紙おむつ」とする技術が開示されている（特許文献１参照）。係る技術は、「使用後の紙オムツの臭いを防ぎ、外出時の捨てる時のマナーが守れ、また、持ち帰りや携帯用に便利であり、オムツ替えシートとして引きものなども汚さずにすむ」という課題を解決するもので、具体的には「紙オムツの前面のテープ貼付け部の裏側がポケットになっている。また、ポケットには袋が折り畳んで収納されており、袋の口の中央に袋引出しマークを設ける。」というものである。しかしながら、特許文献１に記載の技術は、ポケットに折りたたんだ袋が付いている構造であるため、まず袋をポケットから引き出す作業が必要となり、特によく動く赤ちゃんのオムツを変える際にはかえって手間となってしまう。
【０００６】
また、発明の名称を「使い捨ての物品のための処分用袋システム」とする技術が開示されている（特許文献２参照）。具体的には、「使い捨ての物品（例えば、おむつ）に取り付けられるか、若しくは少なくとも部分的に当該使い捨ての物品により形成された処分用袋システムは、折り畳まれて小型形状になる処分用袋を収容する容器を含む。前記容器は、全体として薄く平坦で、前記袋を収容するようにサイズ調整され、前記袋は、前記システムとともに使用される前記使い捨ての物品を収容するようにサイズ調整される。また、前記袋は、前記容器から少なくとも部分的に取り出し自在であり、それにより、前記使い捨ての物品が当該袋の中に配置され処分される。使用時は、前記容器が開かれ、前記袋が前記容器から展開および開口され、前記袋の中を通じて手を伸ばすことにより前記使い捨ての物品が把持され、前記袋が裏返されて前記使い捨ての物品が収容され、前記袋が閉じられて処分される。このように、前記処分用袋システムは、汚れたおむつまたは他の使い捨ての物品を処分する上で、便利で衛生的な自己完結型の方法を提供する。」が公開され公知技術となっている。
しかしながら、特許文献２に記載の技術は、ポケットに折りたたんだ袋が付いている構造だと、前記特許文献１と同様に、まず袋をポケットから引き出す作業が必要となり、特によく動く赤ちゃんのオムツを変える際にはかえって手間となってしまい、本発明の課題を解決するに至っていない。
【０００７】
また、発明の名称を「廃棄用袋付き紙おむつ」とする技術が開示されている（特許文献３参照）。具体的には、「廃棄用袋を紙おむつ本体表面の一部に外見上見えない状態で取り付けられ、紙おむつの機能性に負の効果を与えないで衛生的に紙おむつを廃棄することを可能とする、利便性と美観性を有する紙おむつを提供することを目的とし、廃棄用袋を折り畳んで厚みを最小化した状態で、紙おむつのフロントシートと紙おむつ本体表面の間、または二重の設置されるフロントシートの間に内在させ、紙おむつ装着時の袋離脱防止のために袋の端部は本体部に接着し、袋の取り出し口としてフロントシート上に切れ目またはミシン目を設け、必要なときに袋を取り出し使用できることを可能とする構造を備える。」というものが公開され公知技術となっている。
しかしながら、特許文献３に記載の技術は、引用文献１及び引用文献２と同様に、袋を引き出す作業が必要となることと、従来通り、汚物が直接手についてしまう可能性が大いにあり、本発明の課題を解決するに至っていない。
【先行技術文献】
【特許文献】
【０００８】
【特許文献１】特開平１０−７５９７９号
【特許文献２】特表２０１４−５０６８２６号
【特許文献３】実用新案登録３１５７２３０号
【発明の概要】
【発明が解決しようとする課題】
【０００９】
本発明は、使用済みオムツの排せつ物に直接触ることなく、また、ビニール袋及び手袋を用意しなくても、処理するための被覆体及び手袋を常備することで出先での使用済みオムツの処理の問題を無くし、介護や保育などの従事者における心理的負担を取り除くことを可能とするオムツ技術の提供を課題とするものである。
【課題を解決するための手段】
【００１０】
本発明は、オムツと手袋とからなる手袋付きのオムツであって、前記手袋が前記オムツに塗布された粘着剤により剥離可能に正面又は背面若しくは両面に貼着され、前記手袋は伸縮する素材で構成され、使用後の前記オムツを、前記手袋の手のひら収納部と複数に分割される指収納部の一部とを合わせた使用後オムツ収納領域に収納可能とする構成を採用する。
【００１１】
また、本発明は、前記手袋の開口端部に掴み部を設けた構成を採用することもできる。
【００１２】
また、本発明は、前記手袋の前記貼着される側の表面に離型コート剤が塗布されている構成を採用することもできる。
【００１３】
また、本発明は、前記手袋の指収納部が三分割により構成されている構成を採用することもできる。
【００１４】
また、本発明は、前記手袋の指収納部が六分割により構成されているものを採用することもできる。
【００１５】
また、本発明は、前記手袋の指収納部がニ分割により構成されている構成を採用することもできる。
【００１６】
また、本発明は、前記手のひら収納部の開口端部側を延長して該開口端部へ折り込んだ折込部を有し、使用後オムツ収納領域Ｓを拡大する構成を採用することもできる。
【発明の効果】
【００１７】
本発明に係る手袋付きオムツによれば、使用済のオムツの処理において、使用後オムツ収納領域に汚物を簡単に密閉することができるため、外出時においてもビニール袋を持って歩くといった手間がいらなくなるという優れた効果を発揮する。
【００１８】
また、本発明に係る手袋付きオムツによれば、貼着された手袋部分に手を挿入することで、汚物に直接触れることなく掴んで処理できるという優れた効果を発揮する。
【００１９】
また、本発明に係る手袋付きオムツによれば、汚物に触れないようにするために、別個に手袋を用意することなく、貼着された手袋部分を取り外して使用できるため、汎用性に富んだ使用形態を採用できるという優れた効果を発揮する。
【図面の簡単な説明】
【００２０】
【図１】本発明に係る手袋付きオムツの基本構成を説明する基本構成説明図である。
【図２】本発明に係る手袋付きオムツの手のひら収納部と指収納部及び使用後のオムツ収納領域との構成を説明する構成説明図である。
【図３】本発明に係る手袋付きオムツのオムツ部と手袋部の貼着状態説明図である。
【図４】本発明に係る手袋付きオムツの指収納部の分割構成説明図である。
【図５】本発明に係る手袋付きオムツの使用状態説明図である。
【発明を実施するための形態】
【００２１】
本発明は、オムツの表面に手袋を装着したことを最大の特徴としたものである。
以下、図面に基づいて説明する。但し、係る図面に記載された形状や構成に限定されるものではなく、本発明の技術的思想の創作として発揮する効果の得られる範囲内で変更可能である。
【００２２】
図１は、本発明に係る手袋付きオムツの基本構成を説明する基本構成説明図である。
【００２３】
オムツ１０は、パンツタイプの紙おむつや、背中側のウエスト部分についたテープをおなか側のテープに貼り合わせることでパンツのような形になるテープタイプの紙おむつであれば特に形状や大きさに限定されるものではない。
【００２４】
手袋２０は、手のひら収納部T及び指収納部Yが伸縮性の高い素材で構成され、開口端部２２から手を挿入することによって手を被覆し、汚物等に触れずに使用後のオムツ及びオムツ使用者の体を清潔に保つ処理を施すことを可能とする。なお、手袋２０の全面に肉眼では見えないミクロの穴を多数設け、尿などの液体はもらさず、おむつの中の湿気（気体）だけを外に逃がす、ポリオレフィンやスチレン系エラストマーを素材とすることが好適である。
【００２５】
折込部２１は、手袋２０の開口端部２２に、延長した手のひら収納部Ｔを折り畳んで取りみ、使用後オムツ収納領域Ｓを拡大する構成を採用した場合の収納部となる。
【００２６】
開口端部２２は、手袋２０内に介助者の手を挿入するための開口部分であり、また、手を挿入後に係る開口端部２０を掴んで手のひら収納部Tへ収容するために引張る部分でもある。
【００２７】
掴み部２３は、手袋２０の開口端部２２に設けられる把持部材である。図面上では略舌片形状に示しているが、帯状等の掴みやすい形状であってもよい。
【００２８】
離型コート剤２４は、オムツ１０に塗布された粘着剤３０に対して剥離しやすくするために手袋２０の表面Hに塗布されるものである。具体的にはシリコン系離型剤やフッ素系離型剤をコーティングすることでオムツ１０と手袋２０の分離を容易にする。
【００２９】
粘着剤３０は、ゴム系、アクリル系、シリコン系、又はウレタン系の何れであってもよいが、塗布領域については、図３に示すような手袋の縁部に対応する領域のみが望ましい。また、素材については、透湿性、低皮膚刺激性、及び低臭気性に優れる素材を用いることが望ましく、具体的にはウレタン系樹脂粘着剤を用いることが好適である。
【００３０】
正面Ｆは、オムツ１０の身体の正面側を被覆する面であり、図１（ａ）で示すように、足通し穴が配置される側であるため、手袋２０の配置に際してはやや狭い配置構成となるが、背面Ｒにも手袋２０を配置することにより両手分の手袋２０を配置可能となる。
【００３１】
背面Ｒは、オムツ１０の身体のお尻側を被覆する面であり、図１（ｂ）で示すように、足通し穴が配置されない側であるため、手袋２０の配置に際しては広い配置構成が可能となる。
【００３２】
手のひら収納部Ｔは、手袋２０において手のひら部分を収納する領域であり、使用後オムツ収納領域Ｓの一部となる。
【００３３】
指収納部Ｙは、手袋２０において指部分を収納する領域であり、少なくともニ以上に分割され、係る分割された一部が使用後オムツ収納領域Ｓの一部となる。
【００３４】
使用後オムツ収納領域Ｓは、手のひら収納部Ｔと分割された一部の指収納部Ｙとを合わせた領域であり、使用後のオムツを被覆する部分となる。具体的には図２を例に説明すると図１（ａ）に示した手のひら収納部Ｔと三分割されたうちの一番大きな領域を有する指収納部Ｙ２を組み合わせた領域が図２（ｂ）の使用後オムツ収納領域Ｓとなる。
【００３５】
表面Ｈは、手袋２０がオムツ１０に貼着される側であって、離型コート剤２４が塗布される構成では係る表面Ｈに塗布されることとなる。
【００３６】
なお、図面には示していないが、ミシン目等を設けたポリオレフィンやポリエステル不織布などで、手袋２０をオムツ１０に被覆して設けて取り出す構成とすることも好適である。
【００３７】
図２は、本発明に係る手袋付きオムツの手のひら収納部Ｔと指収納部Ｙ及び使用後オムツ収納領域Ｓとの構成を説明する構成説明図であり、図２（ａ）は、手袋２０において手のひら収納部と指収納部との関係を示し、図２（ｂ）は、使用後オムツ収納領域Ｓの構成を示している。
【００３８】
また、図２は、指収納部Ｙが三分割された構成を示しており、指収納部Ｙ１、指収納部Ｙ２、指収納部Ｙ３について説明する。例えば右利きの場合、親指を指収納部Ｙ１に挿入し、人差し指から小指を指収納部Ｙ２に挿入し、左利きの場合には親指を指収納部Ｙ３に挿入し、人差し指から小指を指収納部Ｙ２に挿入して利用することが考えられる。係る場合において、右利き左利きの何れを問わず、図２（ｂ）に示す使用後オムツ収納領域Ｓは、手のひら収納部Ｔと指収納部Ｙ２を組み合わせた領域となる。
【００３９】
図３は、本発明に係る手袋付きオムツのオムツ部と手袋部の貼着状態説明図であり、図３（ａ）は、オムツ１０側を示し、図３（ｂ）は、手袋２０側を示し、なお、図３（ａ）ではオムツ１０の正面Ｆ側を表しているが、手袋２０が背面Ｒ側に貼着される場合もある。
【００４０】
図３（ａ）に示す通り、手袋２０を貼着する領域は、手袋２０の縁部に対応する領域のみに粘着剤が塗布され、手袋２０を貼着し、図３（ｂ）に示す通り、手袋２０が貼着される領域には離型コート剤２４が塗布される。係る構成を採用することによって、オムツ１０の素材が有する透湿性や防水性、吸水性等を阻害しないことが望ましい。
【００４１】
図４は、本発明に係る手袋付きオムツの指収納部の分割構成説明図であり、図４（ａ）は、指収納部Ｙがニ分割された構成を示し、図４（ｂ）は、指収納部Ｙが六分割された構成を示している。なお、図４は、指収納部Ｙを分割する構成を例示するものであって、図４では示していない五分割を除く趣旨ではない。
【００４２】
図４（ａ）の指収納部Ｙがニ分割構成の場合には、親指を指収納部Ｙ１に挿入し、他の指を指収納部Ｙ２に挿入して使用する。
【００４３】
図４（ａ）の指収納部Ｙが六分割構成の場合には、親指を左右何れかの指収納部Ｙ１に挿入し、他の指を指収納部Ｙ２に挿入して使用する。なお、前記のとおり五分割の場合には図５（ｂ）に示した両側の何れか一方の指収納部Ｙ１が存在しない通常の形状の手袋の構成となる。
【００４４】
図５は、本発明に係る手袋付きオムツの使用状態説明図である。以下、図５に基づいて使用状態を説明する。なお、係る使用状態は、背面Ｒ側に手袋２０が配置された構成である場合であって、手袋２０を取り外さずに利用する状態を例示したものである。
【００４５】
まず、図５（ａ）に示す通り、手袋２０の開口端部２２より介助者の手を挿入し、被介助者からオムツ１０を取り外して小さく折り畳む。次に図５（ｂ）に示すように手袋２０の開口端部２２、又は掴み部２３を掴んで指先方向へ引張り、図５（ｃ）に示す通り手の甲から剥離するように更に引張り、図５（ｄ）に示す通り、覆っている使用後のオムツ収納領域Ｓを捲り返して収容し、図５（ｅ）の通り使用後のオムツは処理可能状態となる。
【００４６】
なお、図面には示していないが、手袋２０をオムツ１０から剥離し、通常の手袋としての利用形態も有効である。
【産業上の利用可能性】
【００４７】
本発明に係る手袋付きオムツによれば、赤ちゃんや、お年寄り、若しくは病気をお持ちの方など、多くの需要がある紙おむつがより使いやすくなることで、育児中のお母さんや介護者の負担の軽減などにおいて活躍が期待され、産業上利用可能性は高いと思慮されるものである。
【符号の説明】
【００４８】
１    手袋付きオムツ
１０  オムツ
２０  手袋
２１  折込部
２２  開口端部
２３  掴み部
２４  離型コート剤
３０  粘着剤
Ｆ    正面
Ｒ    背面
Ｔ    手のひら収納部
Ｙ    指収納部
Ｓ    収納領域
Ｈ    表面
【図１】
2020156978.tif 000003
【図２】
2020156978.tif 000004
【図３】
2020156978.tif 000005
【図４】
2020156978.tif 000006
【図５】
2020156978.tif 000007
【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
オムツ（１０）と手袋（２０）とからなる手袋付きのオムツであって、
前記手袋（２０）が前記オムツ（１０）に塗布された粘着剤（３０）により剥離可能に正面（Ｆ）又は背面（Ｒ）若しくは両面に貼着され、
前記手袋（２０）は伸縮する素材で構成され、
使用後の前記オムツ（２０）を、前記手袋（１０）の手のひら収納部（Ｔ）と複数の指収納部（Ｙ）の一部とを合わせた使用後オムツ収納領域（Ｓ）に収納可能とし、
前記指収納部（Ｙ）が親指用の収納部（Ｙ１・Ｙ３）と親指以外の収納部（Ｙ２）とに分割され、前記親指用の収納部（Ｙ１・Ｙ３）が前記親指以外の収納部（Ｙ２）の両側にそれぞれ配置されていることを特徴とする手袋付きオムツ（１）。
【請求項２】
前記手袋（２０）の開口端部（２２）に掴み部（２３）を設けたことを特徴とする請求項１に記載の手袋付きオムツ（１）。
【請求項３】
前記手袋（２０）の前記貼着される側の表面（Ｈ）に離型コート剤（２４）が塗布されていることを特徴とする請求項１又は請求項２に記載の手袋付きオムツ（１）。
【請求項４】
前記親指以外の収納部（Ｙ２）が四分割により構成されていることを特徴とする請求項１から請求項３の何れかに記載の手袋付きオムツ（１）。
【請求項５】
前記手のひら収納部（Ｔ）の開口端部（２２）側を延長して該開口端（２２）部へ折り込んだ折込部（２１）を有し、使用後オムツ収納領域Ｓを拡大することを特徴とする請求項１から請求項４の何れかに記載の手袋付きオムツ（１）。
【手続補正２】
【補正対象書類名】明細書
【補正対象項目名】００４８
【補正方法】変更
【補正の内容】
【００４８】
１    手袋付きオムツ
１０  オムツ
２０  手袋
２１  折込部
２２  開口端部
２３  掴み部
２４  離型コート剤
３０  粘着剤
Ｆ    正面
Ｒ    背面
Ｔ    手のひら収納部
Ｙ    指収納部
Ｙ１    親指用の収納部
Ｙ２    親指以外の収納部
Ｙ３    親指用の収納部
Ｓ    収納領域
Ｈ    表面
【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
オムツ（１０）と手袋（２０）とからなる手袋付きのオムツであって、
前記手袋（２０）が前記オムツ（１０）に塗布された粘着剤（３０）により剥離可能に正面（Ｆ）又は背面（Ｒ）若しくは両面に貼着され、
前記手袋（２０）は伸縮する素材で構成され、
使用後の前記オムツ（１０）を、前記手袋（２０）の手のひら収納部（Ｔ）と複数の指収納部（Ｙ）の一部とを合わせた使用後オムツ収納領域（Ｓ）に収納可能とし、
前記指収納部（Ｙ）が親指用の収納部（Ｙ１・Ｙ３）と親指以外の収納部（Ｙ２）とに分割され、前記親指用の収納部（Ｙ１・Ｙ３）が前記親指以外の収納部（Ｙ２）の両側にそれぞれ配置されていることを特徴とする手袋付きオムツ（１）。
【請求項２】
前記手袋（２０）の開口端部（２２）に掴み部（２３）を設けたことを特徴とする請求項１に記載の手袋付きオムツ（１）。
【請求項３】
前記手袋（２０）の前記貼着される側の表面（Ｈ）に離型コート剤（２４）が塗布されていることを特徴とする請求項１又は請求項２に記載の手袋付きオムツ（１）。
【請求項４】
前記親指以外の収納部（Ｙ２）が四分割により構成されていることを特徴とする請求項１から請求項３の何れかに記載の手袋付きオムツ（１）。
【請求項５】
前記手のひら収納部（Ｔ）の開口端部（２２）側を延長して該開口端部（２２）へ折り込んだ折込部（２１）を有し、使用後オムツ収納領域Ｓを拡大することを特徴とする請求項１から請求項４の何れかに記載の手袋付きオムツ（１）。
【手続補正書】
【提出日】令和2年5月19日(2020.5.19)
【手続補正１】
【補正対象書類名】特許請求の範囲
【補正対象項目名】全文
【補正方法】変更
【補正の内容】
【特許請求の範囲】
【請求項１】
オムツ（１０）と手袋（２０）とからなる手袋付きのオムツであって、
前記手袋（２０）が前記オムツ（１０）側に塗布された粘着剤（３０）と前記手袋の表面（Ｈ）に塗布される離型コート剤（２４）により剥離可能に正面（Ｆ）又は背面（Ｒ）若しくは両面に貼着され、前記オムツ（１０）側に塗布される粘着剤（３０）は、前記手袋（２０）の縁部に対応する領域のみに塗布され、
前記手袋（２０）は伸縮する素材で構成され、
前記手袋を（２０）を前記オムツ（１０）から剥離し、通常の手袋として利用できるとともに、
使用後の前記オムツ（１０）を、前記手袋（２０）の手のひら収納部（Ｔ）と複数の指収納部（Ｙ）の一部とを合わせた使用後オムツ収納領域（Ｓ）に収納可能とし、
前記指収納部（Ｙ）が親指用の収納部（Ｙ１・Ｙ３）と親指以外の収納部（Ｙ２）とに分割され、前記親指用の収納部（Ｙ１・Ｙ３）が前記親指以外の収納部（Ｙ２）の両側にそれぞれ配置されていることを特徴とする手袋付きオムツ（１）。
【請求項２】
前記手袋（２０）の開口端部（２２）に掴み部（２３）を設けたことを特徴とする請求項１に記載の手袋付きオムツ（１）。
【請求項３】
前記手袋（２０）の前記貼着される側の前記表面（Ｈ）に離型コート剤（２４）が塗布されていることを特徴とする請求項１又は請求項２に記載の手袋付きオムツ（１）。
【請求項４】
前記親指以外の収納部（Ｙ２）が四分割により構成されていることを特徴とする請求項１から請求項３の何れかに記載の手袋付きオムツ（１）。
【請求項５】
前記手のひら収納部（Ｔ）の開口端部（２２）側を延長して該開口端部（２２）へ折り込んだ折込部（２１）を有し、使用後オムツ収納領域Ｓを拡大することを特徴とする請求項１から請求項４の何れかに記載の手袋付きオムツ（１）。